(57)【要約】【課題】ダイレクトコンバート方式において受信妨害が起きない、ＴＤＭＡ／ＴＤＤ無線通信システムで用いる無線機を提供すること。【解決手段】送信ＰＬＬ周波数シンセサイザ部１１３の送信局発信号Stlの周波数を、受信スロットの直前で無線周波数から受信高周波部１０３の帯域外の周波数に変え、送信スロットの直前で元の無線周波数に戻すように送信ＰＬＬ周波数シンセサイザ部１１３を制御部１１５が制御する。【選択図】  図１
2004207824.tif 000002
【特許請求の範囲】
【請求項１】
送信と受信を時間で分け、分割した送信及び受信の時間を更に区分けしてチャネルを割り当て、各チャネルに対して同一周波数の電波を用いて信号を伝送する無線通信システムに用いる無線機であって、送信する信号を、送信局発信号を使って無線周波送信信号にする送信高周波部と、受信した無線周波受信信号を、受信局発信号を使って受信中間周波信号にする受信高周波部とを有し、上記送信局発信号の周波数が、送信時においては無線周波数であり、受信時においては上記受信高周波部の帯域外の周波数であることを特徴とする無線機。
【請求項２】
上記送信局発信号を発振する送信ＰＬＬ（Phase Locked Loop）周波数シンセサイザ部と、該送信ＰＬＬ周波数シンセサイザ部を制御する制御部とを有し、該制御部は、送信時に該送信局発信号が無線周波数となり、受信時に該送信局発信号が上記受信高周波部の帯域外の周波数となるように、上記送信ＰＬＬ周波数シンセサイザ部を制御することを特徴とする請求項１に記載の無線機。
【発明の詳細な説明】
【０００１】
【発明の属する技術分野】
本発明は、ＴＤＭＡ／ＴＤＤ（Time Division multiplexing Access/Time Division Duplex）無線通信システムに使用する無線機、特に送信局発信号を使って無線周波数の送信信号を生成し、同一無線周波数の受信信号を受信する無線機に関する。
【０００２】
【従来の技術】
送信と受信を時間で分け、更に送信の時間帯及び受信の時間帯のそれぞれを収容するチャネルで分けるＴＤＭＡ／ＴＤＤ無線通信システムにおいては、送信信号と受信信号に同一の無線周波数が用いられる（例えば、非特許文献１参照）。
【０００３】
そのようなＴＤＭＡ／ＴＤＤ無線通信システムで用いる従来の無線機の構成例を図２に示し、図３に時間軸上の信号の配置の例を示す。図３において、スロット（Tt）３０１〜３０２が送信の３チャネルに用いられ、スロット（Tr）３０５〜３０７が受信の３チャネルに用いられる。
【０００４】
無線機の電源が投入されると初期設定が行われる。制御部（CTL）２１７は、受信用制御信号Srcと送信用制御信号Stcを用いて、受信ＰＬＬ（Phase Locked Loop）周波数シンセサイザ部２０６、送信ＰＬＬ周波数シンセサイザ部２１４及び送信中間周波ＰＬＬ周波数シンセサイザ部２１５を周波数ロックする。送受信切替スイッチ２０２は受信接点側に接続され、電力増幅部２１０の電源はオフとなる。
【０００５】
送信起動が起きると、スロット３０１の直前で、送受信切替スイッチ２０２は送信側接点に接続され、電力増幅部２１０の電源はオンとなる。次いで、例えばスロット３０１の送信信号は、変調部（MOD）２１３で変調処理された後、送信中間周波数部（T-IF）２１２で送信中間周波ＰＬＬ周波数シンセサイザ部２１５が生成した送信中間周波局発信号Stliによって直交変調され、直交変調送信信号となる。直交変調送信信号は、送信高周波部（Tx）２１２で送信ＰＬＬ周波数シンセサイザ部２１４が生成した局発信号Stlと混合されて周波数変換され、無線周波送信信号となる。無線周波送信信号は、電力増幅部２１０で増幅され、方向性結合器２０９を通り、送受信切替スイッチ２０２を通ってアンテナ端子２０１から出力される。また、無線周波送信信号の一部は方向性結合器２０９から取り出され、歪保償を行うために送信高周波部２１１へ帰還される。
【０００６】
次に、スロット３０５の直前で受信起動が起き、電力増幅部２１０の電源はオフとなって送信が中止され、送受信切替スイッチ２０２は受信側接点に接続される。アンテナ端子２０１にスロット３０５の無線周波受信信号が入力されると、同信号は、送受信切替スイッチ２０２を通り、受信高周波部（Rx）２０３において受信ＰＬＬ周波数シンセサイザ部２０６が生成した局発信号Srlと混合され、第１中間周波受信信号に変換される。同信号は、受信中間周波数部（R-IF）２０４において、受信中間周波局発信号Srliと混合され、それによって周波数変換及び直交復調されて第２中間周波受信信号になり、復調部（DEM）２０５で復調処理される。
【０００７】
【非特許文献１】
平成５年１２月２０日（社）電波産業会発行、ＡＲＩＢ ＳＴＡＮＤＡＲＤ  ＲＣＲ ＳＴＤ−２８
【０００８】
【発明が解決しようとする課題】
前記の従来技術では、送信側において、中間周波数を経て無線周波数へ周波数変換するアップコンバート方式を採用しているため、回路構成が複雑になる。
【０００９】
これを避けるため、中間周波数を経ずに直接に無線周波数の送信信号を得るダイレクトコンバート方式が考えられる。この場合、ＴＤＭＡ／ＴＤＤ方式では、送受信の無線周波数が同一になるため、送信局発信号用ＰＬＬ周波数シンセサイザ部の局発信号の周波数と無線周波受信信号の周波数が同じになる。無線周波受信信号のレベルが低いため、同局発信号が受信高周波部に漏洩すると、それにより受信妨害が起こる。
【００１０】
本発明の目的は、ダイレクトコンバート方式において受信妨害が起きない、ＴＤＭＡ／ＴＤＤ無線通信システムで用いる無線機を提供することにある。
【００１１】
【課題を解決するための手段】
上記の目的を達成するため、本発明の無線機は、ダイレクトコンバート方式において、受信スロットの直前で送信ＰＬＬ周波数シンセサイザ部の局発信号の周波数を無線周波数から受信高周波部の帯域外の周波数に変化させ、送信スロットの直前で元の無線周波数に戻すことを特徴とする。
【００１２】
受信時に漏洩した帯域外の局発信号は、受信高周波部において減衰するので、受信妨害が回避される。
【００１３】
【発明の実施の形態】
以下、本発明に係る無線機を図面に示した発明の実施の形態を参照して更に詳細に説明する。
【００１４】
図１に示す本実施形態の無線機は、ＴＤＭＡ／ＴＤＤ方式により送受信で同一周波数の電波を用いて無線周波送信信号を送信し、無線周波受信信号を受信する。図１において、１０１はアンテナ端子、１０２は、アンテナからの無線周波受信信号とアンテナへの無線周波送信信号の切り替えを行なう送受信切替スイッチ、１０３は、送受信切替スイッチ１０２からの無線周波受信信号の増幅及び周波数変換を行なう受信高周波部（Rx）、１０４は、受信高周波部１０３が出力する第１中間周波受信信号を第２中間周波受信信号に周波数変換する受信中間周波数部（IF）、１０５は、受信中間周波数部１０４が出力する第２中間周波受信信号を直交復調する復調部（DEM）、１０６は、受信高周波部１０３に供給する受信局発信号Srlを発振によって生成する受信ＰＬＬ周波数シンセサイザ部である。
【００１５】
更に、図１において、１１２は送信信号を変調する変調部（MOD）、１１１は、変調部１１２が出力する送信変調信号を無線周波送信信号にする送信高周波部（Tx）、１１３は、送信高周波部１１１に供給する送信局発信号Stlを発振によって生成する送信ＰＬＬ周波数シンセサイザ部、１１０は、送信高周波部１１１が出力する無線周波送信信号を電力増幅する電力増幅部、１０９は、電力増幅部１１０が出力する無線周波送信信号の大部分を切替スイッチ１０２へ送り、一部を歪補償のために送信高周波部１１１へ帰還する方向性結合器、１１５は、受信中間周波数部１０４に供給する受信中間周波局発信号Srliを生成すると共に、受信ＰＬＬ周波数シンセサイザ部１０６を制御するための受信用制御信号Src及び送信ＰＬＬ周波数シンセサイザ部１１３を制御するための送信用制御信号Stcを生成し、更に復調部１０５からの受信信号及び変調部１１２への送信信号の信号処理を行なう制御部である。
【００１６】
本実施形態において採用する、ＴＤＭＡ／ＴＤＤ方式に基づく時間軸上の信号配置の例を図３に示す。同図において、スロット（Tt）３０１〜３０２が送信の３チャネルに用いられ、スロット（Tr）３０５〜３０７が受信の３チャネルに用いられる。なお、各スロットの最後尾に短い時間のガードタイムが設けられる。
【００１７】
上記構成の無線機に電源が投入されると、初期設定が行われる。このとき、制御部１１５は、受信用制御信号Srcを受信第１ＰＬＬ周波数シンセサイザ部１０６に送り、送信用制御信号Stcを送信ＰＬＬ周波数シンセサイザ部１１３に送り、受信中間周波局発信号Srliを受信中間周波数部１０４に送る。それにより、受信ＰＬＬ周波数シンセサイザ部１０６は、受信局発信号Srlを受信局発周波数にロックし、送信ＰＬＬ周波数シンセサイザ部１１３は、送信局発信号Stlを無線周波数にロックする。また、送受信切替スイッチ１０２は、受信接点側に接続される。なお、受信局発信号Srlの周波数は、無線周波数に第１中間周波数を加算した周波数、又は無線周波数から第１中間周波数を減じた周波数となる。
【００１８】
続いて、送信が起動されると、第１スロット３０１の直前で送受信切替スイッチ１０２は送信側接点に接続され、電力増幅部１１０の電源はオンとなる。次いで、例えばスロット３０１の送信信号が制御部１１５で生成される。送信信号は、変調部１１２で変調処理された後、送信高周波部１１１で無線周波送信信号に変換されるが、その際、送信信号は、送信ＰＬＬ周波数シンセサイザ部１１３が発振した送信局発信号Stlによって直交変調される。以降、上述のように、電力増幅部１１０、方向性結合器１０９及び送受信切替スイッチ１０２を通りアンテナ端子１０１から出力される。また、出力信号の一部は方向性結合器１０９から取り出され、歪保償を行うため送信高周波部１１１へ帰還し、復調される。
【００１９】
その後、スロット３０４の直前のガードタイム開始時に送信がオフとなる。即ち、電力増幅部２１０の電源がオフとなり、送受信切替スイッチ２０２が受信側接点に接続されて送信が中止される。そのとき、制御部１１５は、送信用制御信号Stcによって送信ＰＬＬ周波数シンセサイザ部１１３を制御し、送信局発信号Stlの周波数を受信高周波部１０３の帯域外の周波数に変化させる。送信ＰＬＬ周波数シンセサイザ部１１３は、その周波数でロックする。
【００２０】
次に、受信起動がスロット３０５の直前のガードタイム開始時に起き、アンテナ端子１０１に受信信号、例えばスロット３０５の受信信号が入力されると、上述のように、送受信切替スイッチ１０２を通り、受信高周波部１０３を通って第１局中間周波数の受信信号に変換され、受信第１中間周波数部１０４を通って、第２中間周波数の受信信号に変換され、復調部１０５で復調処理される。
【００２１】
その後、第８スロット３０８直前のガードタイムの開始時に受信動作が終了すると、制御部１１５は、送信用制御信号Stcにより、送信局発信号Stlの周波数を無線周波数に戻すよう送信ＰＬＬ周波数シンセサイザ部１１３を制御する。送信ＰＬＬ周波数シンセサイザ部１１３は、その周波数でロックする。
【００２２】
以上、本実施形態により、受信スロット時において送信ＰＬＬ周波数シンセサイザ部１１３が無線周波数とは異なる、受信高周波部１０３の帯域外の周波数でロックするように制御されるため、送信ＰＬＬ周波数シンセサイザ部１１３の送信局発信号Stlが受信側に漏洩しても受信妨害が起こらないようにすることが可能になる。
【００２３】
【発明の効果】
本発明によれば、ＴＤＭＡ／ＴＤＤ方式の無線通信システムにおいてダイレクトコンバート方式を採用するとき、受信時に送信局発信号の周波数が受信側の帯域外の周波数になるように制御されるので、受信妨害の起きない無線機を提供することができる。
【図面の簡単な説明】
【図１】本発明に係る無線機の発明の実施の形態を説明するためのブロック図。
【図２】従来の無線機の例を説明するためのブロック図。
【図３】信号の形式を説明するための図。
【符号の説明】
１０１…アンテナ端子、１０２…送受信切替スイッチ、１０３…受信高周波部、１０４…受信中間周波数部、１０５…復調部、１０６…受信ＰＬＬ周波数シンセサイザ部、１０９…方向性結合器、１１０…電力増幅部、１１１…送信高周波部、１１２…変調部、１１３：送信ＰＬＬ周波数シンセサイザ部、１１４…送信用制御信号、１１５…制御部。
【図１】
2004207824.tif 000003
【図２】
2004207824.tif 000004
【図３】
2004207824.tif 000005